(57)【要約】      （修正有）【課題】鮮度保持包装の安全性を増進する包装袋乾燥食品包装鮮度保持器を提供する。【解決手段】乾燥食品の鮮度保持包装を行おうとする時の包装袋の製造過程において、短期間だけ、鮮度保持器１の収納ボックス１０底部１４階段状槽１６位置で密封薄膜４０に対して穿刺を行い１個以上の通気孔４１を形成し、包装袋６０の予定内部紙面上に鮮度保持器１のシーリング面をシーリングし、包装袋６０が乾燥食品の包装を完成後、収納ボックスのボックス本体の収納室１２内の鮮度保持剤５０は透気孔１５位置から透気薄膜３０を通して、さらに密封薄膜４０上の通気孔４１により、包装袋６０の袋体内部と相互に通じ、収納ボックス１０内の鮮度保持剤５０は、乾燥食品に対して、鮮度保持作用を発揮する。全体構造は、鮮度保持剤５０が、収納ボックス１０のボックス本体１１内に収納されることで、外力圧迫時の保護が得られ、包装袋を開き乾燥食品を使用する時には、鮮度保持器１は包装袋６０内部片側紙面上に固定され取り出しできない。【選択図】図４
0003218872.tif 000002
【実用新案登録請求の範囲】
【請求項１】
包装袋乾燥食品包装鮮度保持器は、鮮度保持器で、耐圧迫材料により成形する収納ボックス、密封薄膜、透気薄膜及び密封薄膜を備え、
該収納ボックスは、ボックス本体内部に、収納室を形成し、該収納室内部には、食品鮮度保持剤を充填し、しかも入口端周縁には、シーリング部を形成し、底部端上には、１個以上の透気孔を開設し、該透気孔の出口端には、階段状槽を設置し、
該密封薄膜は、該収納ボックスのシーリング部上に接着され、該鮮度保持剤を、該ボックス本体の収納室内に収納し、しかも外表面端を、シーリング面とし、該透気薄膜は、該収納ボックスのボックス本体底部片面端上に接着され、該収納室内の該鮮度保持剤が、該透気孔から外に漏れないよう制限し、
該密封薄膜は、該収納ボックスのボックス本体底部、該階段状槽の外表面上に接着され、外界空気と接触することのないよう、該収納室内の該鮮度保持剤を密封し、
包装袋を採用して、乾燥食品の鮮度保持包装を行おうとする時には、包装袋の製造過程において、短期間だけ、鮮度保持器の収納ボックス底部階段状槽位置において、密封薄膜に対して穿刺を行い１個以上の通気孔を形成し、鮮度保持器のシーリング面を、包装袋の予定内部紙面上にシーリングし、包装袋が乾燥食品の包装を完成後、該収納ボックスのボックス本体の収納室内の鮮度保持剤は、該透気孔位置から、該透気薄膜を通して、さらに該密封薄膜上の該通気孔により、包装袋の袋体内部と相互に通じることを特徴とする包装袋乾燥食品包装鮮度保持器。
【請求項２】
前記透気薄膜は、該収納ボックスのボックス本体底部の該階段状槽内に接着され、該密封薄膜との間に空隙を保持することを特徴とする請求項１に記載の包装袋乾燥食品包装鮮度保持器。
【請求項３】
前記透気薄膜は、該収納ボックスのボックス本体収納室中より、該底部内面上に接着されることを特徴とする請求項１に記載の包装袋乾燥食品包装鮮度保持器。
【考案の詳細な説明】
【技術分野】
【０００１】
本考案は乾燥食品包装袋の鮮度保持包装に関し、特に鮮度保持剤の食品汚染或いは誤食事件の発生を回避でき、鮮度保持包装の安全性を効果的に増進できる包装袋乾燥食品包装鮮度保持器に関する。
【背景技術】
【０００２】
茶葉、コーヒー、クッキー或いはスナック等乾燥食品は、包装袋を用いて包装される。
包装袋内の食品中には、乾燥剤或いは脱酸素剤等の鮮度保持剤がしばしばいっしょに入れられており、これにより食品の湿り、酸化或いは変質を減らし、或いは低下させ、或いは回避することができる。
【０００３】
一般的に、乾燥剤／脱酸素剤は、透気紙により作られた小袋の形式で、食品包装袋中に入れられる。
しかし、食品包装袋外部が、不適当な外力により圧迫され、乾燥剤袋／脱酸素剤袋に破損が存在、或いは破裂の可能性があれば、食品の汚染を完全に避けるのは難しい。
さらには、不注意、或いは子供が何もわからず口に入れる誤食事件が発生しており、食品鮮度保持包装の安全性に長期的に影響を及ぼしている。
【先行技術文献】
【特許文献】
【０００４】
【特許文献１】特開2006-231723号公報
【考案の概要】
【考案が解決しようとする課題】
【０００５】
本考案の第一の目的は、鮮度保持器は耐圧迫材料により成形する収納ボックス、密封薄膜、透気薄膜、密封薄膜を備え、収納ボックスはボックス本体内部に収納室を形成し、収納室内部には食品鮮度保持剤を充填し、しかも入口端周縁にはシーリング部を形成し、底部端上には１個以上の透気孔を開設し、透気孔の出口端には階段状槽を設置し、密封薄膜は収納ボックスのシーリング部上に接着され、鮮度保持剤をボックス本体の収納室内に収納し、しかも外表面端をシーリング面とし、透気薄膜は収納ボックスのボックス本体底部片面端上に接着され、収納室内の鮮度保持剤が透気孔から外に漏れないよう制限し、密封薄膜は収納ボックスのボックス本体底部、階段状槽の外表面上に接着され、外界空気と接触することのないよう収納室内の鮮度保持剤を密封し、包装袋を採用し乾燥食品の鮮度保持包装を行おうとする時には、包装袋の製造過程において、短期間だけ、鮮度保持器の収納ボックス底部階段状槽位置において、密封薄膜に対して穿刺を行い１個以上の通気孔を形成し、鮮度保持器のシーリング面を包装袋の予定内部紙面上にシーリングし、包装袋が乾燥食品の包装を完成後、収納ボックスのボックス本体の収納室内の鮮度保持剤は透気孔位置から透気薄膜を通して、さらに密封薄膜上の通気孔により、包装袋の袋体内部と相互に通じ、収納ボックス内の鮮度保持剤は、乾燥食品に対して、鮮度保持作用を発揮し、全体構造は、鮮度保持剤が、収納ボックスのボックス本体内に収納されることで、外力圧迫時の保護が得られ、包装袋を開き乾燥食品を使用する時には、鮮度保持器は、包装袋内部片側紙面上に固定され、取り出しできないため、これにより乾燥食品包装袋は鮮度保持の包装となり、鮮度保持剤の食品汚染、或いは誤食事件の発生を効果的に回避でき、乾燥食品鮮度保持包装の安全性を増進できる包装袋乾燥食品包装鮮度保持器を提供することである。
【０００６】
本考案の第二の目的は、透気薄膜は、収納ボックスのボックス本体底部の階段状槽内に接着され、密封薄膜との間に空隙を保持し、密封薄膜に穿刺して通気孔を形成する時、透気薄膜により、収納室内の鮮度保持剤が透気孔から漏れたりしないようにコントロールでき、しかも空隙は密封薄膜上で穿刺して通気孔を開設する動作に有利で、穿針の穿刺動作が透気薄膜を傷つけないよう回避でき、透気薄膜の鮮度保持剤に対するコントロールの有効性を確保する包装袋乾燥食品包装鮮度保持器を提供することである。
【０００７】
本考案の第三の目的は、透気薄膜は、収納ボックスのボックス本体収納室中より、底部内面上に接着され、これにより収納ボックス底部階段状槽位置の密封薄膜上が穿刺され、通気孔が形成され、これにより収納室内鮮度保持剤が包装袋内乾燥食品に対して鮮度保持作用を生じると、透気薄膜により、収納室内の鮮度保持剤を、収納室内に制限し、鮮度保持剤が透気孔から外に漏れ出るような事態の発生を確実に回避できる包装袋乾燥食品包装鮮度保持器を提供することである。
【課題を解決するための手段】
【０００８】
本考案は包装袋乾燥食品包装鮮度保持器を提供する。
【考案の効果】
【０００９】
本考案包装袋乾燥食品包装鮮度保持器により、鮮度保持剤の食品汚染、或いは誤食事件の発生を効果的に回避でき、乾燥食品鮮度保持包装の安全性を増進でき、透気薄膜の鮮度保持剤に対するコントロールの有効性を確保でき、鮮度保持剤が透気孔から外に漏れ出るような事態の発生を確実に回避できる。
【図面の簡単な説明】
【００１０】
【図１】本考案実施例の構造分解立体図である。
【図２】本考案実施例の断面構造図である。
【図３】本考案の密封薄膜通気孔の開孔状態を示す模式図である。
【図４】本考案実施例の包装袋内での使用状態を示す模式図である。
【図５】図４Ａ部の拡大模式図である。
【図６】本考案の別種の実施例の構造分解立体図である。
【図７】本考案の別種の実施例の断面構造図である。
【図８】本考案の別種の実施例の包装袋内での使用状態を示す模式図である。
【図９】図８Ｂ部の拡大模式図である。
【考案を実施するための形態】
【００１１】
包装袋乾燥食品包装鮮度保持器の鮮度保持器１は、耐圧迫材料（プラスチック材料）成形の収納ボックス１０、アルミ箔材質の密封薄膜２０、不織布材質の透気薄膜３０及びアルミ箔材質の密封薄膜４０を備える。
【００１２】
該収納ボックス１０は、ボックス本体１１内部に、収納室１２を形成し、該収納室１２内部には、食品鮮度保持剤（乾燥剤或いは脱酸素剤）５０を充填し、しかも入口端周縁には、シーリング部１３を形成し、底部１４端上には、１個以上の透気孔１５を開設し、該透気孔１５の出口端には、階段状槽１６を設置する。
【００１３】
該密封薄膜２０は、接着剤を塗布され、該収納ボックス１０のシーリング部１３上に接着され、該鮮度保持剤５０を、該ボックス本体１１の収納室１２内に包装し、しかも外表面端を、シーリング面２１とする。
【００１４】
該透気薄膜３０は、接着剤を塗布され、該収納ボックス１０のボックス本体１１底部１４片面端上に接着され、該収納室１２内の該鮮度保持剤５０が、該透気孔１５から外に漏れないよう制限する。
【００１５】
該密封薄膜４０は、接着剤を塗布され該収納ボックス１０のボックス本体１１底部１４、該階段状槽１６の槽口外表面上に接着され、外界空気と接触することのないよう、該収納室１２内の該鮮度保持剤５０を密封する（鮮度保持器１の使用前）。
【００１６】
包装袋を採用して、乾燥食品の鮮度保持包装を行おうとする時には、包装袋の製造過程において、図３、４、５に示すように、短期間だけ、鮮度保持器１の収納ボックス１０底部１４階段状槽１６位置において、密封薄膜４０に対して穿刺を行い（包装生産ライン上で穿針を運用し密封薄膜４０を穿刺できる）１個以上の通気孔４１を形成し、鮮度保持器１のシーリング面を、包装袋６０の予定内部紙面上にシーリング（粘着）し、包装袋６０が乾燥食品の包装を完成後、該収納ボックス１０のボックス本体１１の収納室１２内の鮮度保持剤５０は、該透気孔１５位置から、該透気薄膜３０を通して、さらに該密封薄膜４０上の該通気孔４１により、包装袋６０の袋体内部と相互に通じ、該収納ボックス１０内の鮮度保持剤５０は、乾燥食品に対して、鮮度保持作用を発揮する。
【００１７】
全体構造は、鮮度保持剤５０が、収納ボックス１０のボックス本体１１内に収納されることで、外力圧迫時の保護が得られ、包装袋６０を開き乾燥食品を使用する時には、鮮度保持器１は、包装袋６０内部片側紙面上に固定され、取り出しできないという制限条件がかかり、これにより乾燥食品包装袋６０は鮮度保持の包装となり、鮮度保持剤５０の食品汚染、或いは誤食事件の発生を効果的に回避でき、乾燥食品鮮度保持包装の安全性を増進できる。
【００１８】
上述の実施例に基づき、図１、２に示すように、該透気薄膜３０は、接着剤を塗布され該収納ボックス１０のボックス本体１１底部１４の該階段状槽１６内に接着され、該密封薄膜４０との間に、空隙１７を保持する。
【００１９】
図３、４、５に示すように、密封薄膜４０に、（穿針）により穿刺して、通気孔４１を形成する時、該透気薄膜３０により、該収納室１２内の鮮度保持剤５０が透気孔５１から漏れたりしないようにコントロールでき、しかも該空隙１７は、該密封薄膜４０上で（穿針）により穿刺して該通気孔４１を開設する動作に有利で、穿針の穿刺動作が透気薄膜３０を傷つけないよう回避でき、透気薄膜３０の鮮度保持剤５０に対するコントロールの有効性を確保する。
【００２０】
上述の実施例に基づき、図６、７に示すように、該透気薄膜３０Ａは、該収納ボックス１０Ａのボックス本体１１Ａ収納室１２Ａ中から、接着剤を塗布され、該底部１４Ａ内面上に接着される。
【００２１】
図８、９に示すように、これにより該収納ボックス１０Ａ底部１４Ａ該階段状槽１６Ａ位置の密封薄膜４０Ａ上が穿刺され、通気孔４１Ａが形成され、これにより収納室１２Ａ内鮮度保持剤５０が、包装袋６０内乾燥食品に対して鮮度保持作用を生じると、該透気薄膜３０Ａにより、収納室１２Ａ内の鮮度保持剤５０を、収納室１２Ａ内に制限し、鮮度保持剤５０が透気孔１５Ａから外に漏れ出るような事態の発生を確実に回避できる。
【産業上の利用可能性】
【００２２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２３】
１  鮮度保持器
１０、１０Ａ  収納ボックス
１１、１１Ａ  ボックス本体
１２、１２Ａ  収納室
１３  シーリング部
１４、１４Ａ  底部
１５、１５Ａ  透気孔
１６、１６Ａ  階段状槽
１７  空隙
２０  密封薄膜
２１  シーリング面
３０、３０Ａ  透気薄膜
４０、４０Ａ  密封薄膜
４１、４１Ａ  通気孔
５０  鮮度保持剤
６０  包装袋
【図１】
0003218872.tif 000003
【図２】
0003218872.tif 000004
【図３】
0003218872.tif 000005
【図４】
0003218872.tif 000006
【図５】
0003218872.tif 000007
【図６】
0003218872.tif 000008
【図７】
0003218872.tif 000009
【図８】
0003218872.tif 000010
【図９】
0003218872.tif 000011
【手続補正書】
【提出日】平成30年9月4日(2018.9.4)
【手続補正１】
【補正対象書類名】実用新案登録請求の範囲
【補正対象項目名】全文
【補正方法】変更
【補正の内容】
【実用新案登録請求の範囲】
【請求項１】
包装袋乾燥食品包装鮮度保持器は、鮮度保持器で、耐圧迫材料により成形する収納ボックス、第１の密封薄膜、透気薄膜及び第２の密封薄膜を備え、
該収納ボックスは、ボックス本体内部に、収納室を形成し、該収納室内部には、食品鮮度保持剤を充填し、しかも入口端周縁には、シーリング部を形成し、底部端上には、１個以上の透気孔を開設し、該透気孔の出口端には、階段状槽を設置し、
該第１の密封薄膜は、該収納ボックスのシーリング部上に接着され、該鮮度保持剤を、該ボックス本体の収納室内に収納し、しかも外表面端を、シーリング面とし、
該透気薄膜は、該収納ボックスのボックス本体底部片面端上に接着され、該収納室内の該鮮度保持剤が、該透気孔から外に漏れないよう制限し、
該第２の密封薄膜は、該収納ボックスのボックス本体底部、該階段状槽の外表面上に接着され、外界空気と接触することのないよう、該収納室内の該鮮度保持剤を密封し、
包装袋を採用して、乾燥食品の鮮度保持包装を行おうとする時には、包装袋の製造過程において、短期間だけ、鮮度保持器の収納ボックス底部階段状槽位置において、該第２の密封薄膜に対して穿刺を行い１個以上の通気孔を形成し、鮮度保持器のシーリング面を、包装袋の予定内部紙面上にシーリングし、包装袋が乾燥食品の包装を完成後、該収納ボックスのボックス本体の収納室内の鮮度保持剤は、該透気孔位置から、該透気薄膜を通して、さらに該第２の密封薄膜上の該通気孔により、包装袋の袋体内部と相互に通じることを特徴とする包装袋乾燥食品包装鮮度保持器。
【請求項２】
前記透気薄膜は、該収納ボックスのボックス本体底部の該階段状槽内に接着され、該第２の密封薄膜との間に空隙を保持することを特徴とする請求項１に記載の包装袋乾燥食品包装鮮度保持器。
【請求項３】
前記透気薄膜は、該収納ボックスのボックス本体収納室中より、該底部内面上に接着されることを特徴とする請求項１に記載の包装袋乾燥食品包装鮮度保持器。